(57)【要約】【課題】画像に対応付けられている反応種類情報に基づいて、複数の画像の中から画像を選択して嗜好性の高い表示制御を実行する表示端末装置を提供することを目的とする。【解決手段】  まず初めに、ＣＰＵ２１は、再生枚数決定処理を実行する（Ｓ４００）。そして、表示端末装置１０を操作している利用者の顔検出、認識処理を実行し（Ｓ４０１）、識別した利用者に対応する画像である対象画像情報があるかどうかを判断する（Ｓ４０３）。対象画像情報が有ると判断した場合（Ｓ４０３：ＹＥＳ）、次に再生枚数以上かどうかを判断し（Ｓ４０４）、再生枚数分の画像情報を選択する処理を実行する（Ｓ４０５）。通常再生順序生成処理として、再生曲線８０に基づくように再生順序を決定する処理を実行する（Ｓ４０６）。【選択図】図１１
2011216985.tif 000002
【特許請求の範囲】
【請求項１】
画像情報を表示する表示領域を備えた表示手段と、複数の前記画像情報を切替えながら前記表示手段へ表示する表示端末装置において、
前記表示手段に前記画像情報を表示した際の利用者の反応情報を取得する反応情報取得手段と、
前記反応情報取得手段により取得した前記反応情報を分析し、前記利用者の反応の種類の情報である反応種類情報を特定する反応種類情報特定手段と、
前記反応種類情報特定手段により特定された前記反応種類情報と、前記反応情報を取得した際に前記表示手段に表示されていた前記画像情報とを対応付けして記憶する反応種類情報記憶手段と、
複数の前記画像情報を前記表示手段へ表示するための条件の情報である表示条件情報を取得する表示条件情報取得手段と、
前記表示条件情報取得手段により取得した前記表示条件情報と、前記反応種類情報記憶手段に記憶されている前記反応種類情報に基づいて、複数の前記画像情報の表示方法を制御する表示制御手段と、
を備えることを特徴とする表示端末装置。
【請求項２】
前記表示制御手段は、前記表示条件情報取得手段により取得した前記表示条件情報に基づいて、異なる種類の前記反応種類情報に対応付けられている前記画像情報が所定割合で含まれるように、複数の前記画像情報を選択して前記表示手段へ所定順序で表示することを特徴とする請求項１に記載の表示端末装置。
【請求項３】
前記表示条件情報取得手段は、前記利用者によって前記表示端末装置を操作されることにより、前記画像情報を前記表示手段へ表示する枚数の情報か、または複数の前記画像情報を一定時間毎に切り替えながら表示した時の合計時間である合計表示時間の情報を前記表示条件情報として取得することを特徴とする請求項１乃至２のいずれかに記載の表示端末装置。
【請求項４】
前記反応情報取得手段は、前記表示手段へ表示する際に前記画像情報に前記反応種類情報が対応付けられているかどうかを判断し、前記反応種類情報が対応付けられていないと判断した場合は新たに前記反応情報を取得し、対応付けられていると判断した場合は、所定条件に基づいて前記反応情報を取得することを特徴とする請求項１乃至２のいずれかに記載の表示端末装置。
【請求項５】
前記反応情報取得手段は、前記表示手段に表示されている前記画像情報を見ている利用者の顔の撮像情報を取得する撮像手段を備え、
前記反応種類情報特定手段は、前記撮像手段により取得した前記撮像情報から、前記顔の特徴部分を検出して、前記特徴部分の形状を分析することで前記反応種類情報を特定することを特徴とする請求項１乃至４のいずれかに記載の表示端末装置。
【請求項６】
前記表示端末装置は、利用者を識別するための情報である識別情報を記憶する識別情報記憶手段と、
前記撮像手段により取得した前記撮像情報から検出した利用者の特徴部分と、前記識別情報記憶手段に記憶されている前記識別情報とを比較し、利用者を識別する識別手段とを備え、
前記反応種類情報記憶手段は、前記識別手段により識別された利用者の情報と、前記利用者が反応した前記反応種類情報を対応付けして記憶し、
前記表示制御手段は、前記表示条件情報取得手段により取得した前記表示条件を入力操作した際の利用者を、前記識別手段により識別して、識別された利用者の情報に対応した前記反応種類情報に対応付けられている前記画像情報の中から、複数の前記画像情報を選択して前記表示手段へ表示することを特徴とする請求項５に記載の表示端末装置。
【請求項７】
前記撮像手段により取得した前記撮像情報に基づいて、前記識別手段が複数の利用者が存在すると判断した場合、
前記表示制御手段は、前記識別手段により識別された複数の利用者の情報に各々対応した前記反応種類情報が全て対応付けられている前記画像情報を、前記反応種類情報記憶手段から選択して前記表示手段へ表示することを特徴とする請求項６に記載の表示端末装置。
【請求項８】
前記反応種類情報記憶手段は、前記反応種類情報特定手段により特定された前記反応種類情報を数値で示す情報として記憶し、
前記撮像手段により取得した前記撮像情報に基づいて、前記識別手段が複数の利用者が存在すると判断した場合、
前記表示制御手段は、複数の前記利用者に対応する前記反応種類情報の数値を平均した平均値に基づいて、複数の前記画像情報を選択して前記表示手段へ表示することを特徴とする請求項６に記載の表示端末装置。
【請求項９】
画像情報を表示する表示領域を備えた表示手段と、複数の前記画像情報を切替えながら前記表示手段へ表示する表示端末装置にて処理する表示制御方法において、
前記表示手段に前記画像情報を表示した際の利用者の反応情報を取得する反応情報取得ステップと、
前記反応情報取得ステップにより取得した前記反応情報を分析し、前記利用者の反応の種類の情報である反応種類情報を特定する反応種類情報特定ステップと、
前記反応種類情報特定ステップにより特定された前記反応種類情報と、前記反応情報を取得した際に前記表示手段に表示されていた前記画像情報とを対応付けして記憶する反応種類情報記憶ステップと、
複数の前記画像情報を前記表示手段へ表示するための条件の情報である表示条件情報を取得する表示条件情報取得ステップと、
前記表示条件情報取得ステップにより取得した前記表示条件情報と、前記反応種類情報記憶ステップにて記憶されている前記反応種類情報に基づいて、複数の前記画像情報の表示方法を制御する表示制御ステップと、
を処理することを特徴とする表示制御方法。
【請求項１０】
画像情報を表示する表示領域を備えた表示手段と、複数の前記画像情報を切替えながら前記表示手段へ表示する表示端末装置を実行させる表示制御プログラムにおいて、
前記表示手段に前記画像情報を表示した際の利用者の反応情報を取得する反応情報取得ステップと、
前記反応情報取得ステップにより取得した前記反応情報を分析し、前記利用者の反応の種類の情報である反応種類情報を特定する反応種類情報特定ステップと、
前記反応種類情報特定ステップにより特定された前記反応種類情報と、前記反応情報を取得した際に前記表示手段に表示されていた前記画像情報とを対応付けして記憶する反応種類情報記憶ステップと、
複数の前記画像情報を前記表示手段へ表示するための条件の情報である表示条件情報を取得する表示条件情報取得ステップと、
前記表示条件情報取得ステップにより取得した前記表示条件情報と、前記反応種類情報記憶ステップにて記憶されている前記反応種類情報に基づいて、複数の前記画像情報の表示方法を制御する表示制御ステップと、
を前記表示端末装置で実行させるための表示制御プログラム。
【発明の詳細な説明】
【技術分野】
【０００１】
本発明は、利用者の反応情報に基づいて複数の画像情報の表示を制御する表示端末装置、表示制御方法、制御プログラムに関する。
【背景技術】
【０００２】
従来、所定の記憶媒体に記憶された画像を読み出し、その画像を表示手段に表示させるデジタルフォトフレームが広く一般に用いられている。また、上述のようなデジタルフォトフレーム或いは一般的な表示装置において、複数の画像を所定の時間間隔で断続的に切替表示させるスライドショー表示制御を実行し得るものが知られている。
【０００３】
また、前記スライドショー表示の嗜好性を向上させるために、下記特許文献１では、スライドショーを鑑賞する利用者の歓声や顔の表情の変化に基づいて、表示している画像の切り替えタイミングを動的に変更する技術を備えた画像再生システムが提案されている。前記画像再生システムによれば、利用者がスライドショーで再生表示されている画像を観賞中に、歓声が大きくなったことや、顔の表情の変化が大きくなったことを検出した場合、利用者の関心度が高いと判断して、表示している画像の再生時間を延長することができるようになっている。
【先行技術文献】
【特許文献】
【０００４】
【特許文献１】特開２００８−１４１４８４号公報
【発明の概要】
【発明が解決しようとする課題】
【０００５】
しかしながら、上記画像再生システムでは、スライドショーを再生中に、画像を観賞している利用者の関心度を示す反応に応じて、画像の切り替えタイミングを変更するだけである。よって、スライドショーで再生される画像の中に関心度が高い画像が含まれていない場合、観賞している利用者にとっては嗜好性の低いスライドショーになってしまうという課題がある。
【０００６】
そこで本発明は、画像に対応付けられている反応種類情報に基づいて、複数の画像の中から画像を選択して表示することで、嗜好性の高い表示制御を実行する表示端末装置を提供することを目的とする。
【課題を解決するための手段】
【０００７】
上記目的を達成するために、請求項１に記載の表示端末装置は、画像情報を表示する表示領域を備えた表示手段と、複数の前記画像情報を切替えながら前記表示手段へ表示する表示端末装置において、前記表示手段に前記画像情報を表示した際の利用者の反応情報を取得する反応情報取得手段と、前記反応情報取得手段により取得した前記反応情報を分析し、前記利用者の反応の種類の情報である反応種類情報を特定する反応種類情報特定手段と、前記反応種類情報特定手段により特定された前記反応種類情報と、前記反応情報を取得した際に前記表示手段に表示されていた前記画像情報とを対応付けして記憶する反応種類情報記憶手段と、複数の前記画像情報を前記表示手段へ表示するための条件の情報である表示条件情報を取得する表示条件情報取得手段と、前記表示条件情報取得手段により取得した前記表示条件情報と、前記反応種類情報記憶手段に記憶されている前記反応種類情報に基づいて、複数の前記画像情報の表示方法を制御する表示制御手段と、を備えることを特徴とする。
【０００８】
請求項２に記載の表示端末装置では、請求項１に記載の構成に加え、前記表示制御手段は、前記表示条件情報取得手段により取得した前記表示条件情報に基づいて、異なる種類の前記反応種類情報に対応付けられている前記画像情報が所定割合で含まれるように、複数の前記画像情報を選択して前記表示手段へ所定順序で表示することを特徴とする。
【０００９】
請求項３に記載の表示端末装置では、請求項１乃至２のいずれかに記載の構成に加え、前記表示条件情報取得手段は、前記利用者によって前記表示端末装置を操作されることにより、前記画像情報を前記表示手段へ表示する枚数の情報か、または複数の前記画像情報を一定時間毎に切り替えながら表示した時の合計時間である合計表示時間の情報を前記表示条件情報として取得することを特徴とする。
【００１０】
請求項４に記載の表示端末装置では、請求項１乃至２のいずれかに記載の構成に加え、前記反応情報取得手段は、前記表示手段へ表示する際に前記画像情報に前記反応種類情報が対応付けられているかどうかを判断し、前記反応種類情報が対応付けられていないと判断した場合は新たに前記反応情報を取得し、対応付けられていると判断した場合は、所定条件に基づいて前記反応情報を取得することを特徴とする。
【００１１】
請求項５に記載の表示端末装置では、請求項１乃至４のいずれかに記載の構成に加え、前記反応情報取得手段は、前記表示手段に表示されている前記画像情報を見ている利用者の顔の撮像情報を取得する撮像手段を備え、前記反応種類情報特定手段は、前記撮像手段により取得した前記撮像情報から、前記顔の特徴部分を検出して、前記特徴部分の形状を分析することで前記反応種類情報を特定することを特徴とする。
【００１２】
請求項６に記載の表示端末装置では、請求項５に記載の構成に加え、前記表示端末装置は、利用者を識別するための情報である識別情報を記憶する識別情報記憶手段と、前記撮像手段により取得した前記撮像情報から検出した利用者の特徴部分と、前記識別情報記憶手段に記憶されている前記識別情報とを比較し、利用者を識別する識別手段とを備え、前記反応種類情報記憶手段は、前記識別手段により識別された利用者の情報と、前記利用者が反応した前記反応種類情報を対応付けして記憶し、前記表示制御手段は、前記表示条件情報取得手段により取得した前記表示条件を入力操作した際の利用者を、前記識別手段により識別して、識別された利用者の情報に対応した前記反応種類情報に対応付けられている前記画像情報の中から、複数の前記画像情報を選択して前記表示手段へ表示することを特徴とする。
【００１３】
請求項７に記載の表示端末装置では、請求項６に記載の構成に加え、前記撮像手段により取得した前記撮像情報に基づいて、前記識別手段が複数の利用者が存在すると判断した場合、前記表示制御手段は、前記識別手段により識別された複数の利用者の情報に各々対応した前記反応種類情報が全て対応付けられている前記画像情報を、前記反応種類情報記憶手段から選択して前記表示手段へ表示することを特徴とする。
【００１４】
請求項８に記載の表示端末装置では、請求項６に記載の構成に加え、前記反応種類情報記憶手段は、前記反応種類情報特定手段により特定された前記反応種類情報を数値で示す情報として記憶し、前記撮像手段により取得した前記撮像情報に基づいて、前記識別手段が複数の利用者が存在すると判断した場合、前記表示制御手段は、複数の前記利用者に対応する前記反応種類情報の数値を平均した平均値に基づいて、複数の前記画像情報を選択して前記表示手段へ表示することを特徴とする。
【００１５】
請求項９に記載の発明においては、画像情報を表示する表示領域を備えた表示手段と、複数の前記画像情報を切替えながら前記表示手段へ表示する表示端末装置にて処理する表示制御方法において、前記表示手段に前記画像情報を表示した際の利用者の反応情報を取得する反応情報取得ステップと、前記反応情報取得ステップにより取得した前記反応情報を分析し、前記利用者の反応の種類の情報である反応種類情報を特定する反応種類情報特定ステップと、前記反応種類情報特定ステップにより特定された前記反応種類情報と、前記反応情報を取得した際に前記表示手段に表示されていた前記画像情報とを対応付けして記憶する反応種類情報記憶ステップと、複数の前記画像情報を前記表示手段へ表示するための条件の情報である表示条件情報を取得する表示条件情報取得ステップと、前記表示条件情報取得ステップにより取得した前記表示条件情報と、前記反応種類情報記憶ステップにて記憶されている前記反応種類情報に基づいて、複数の前記画像情報の表示方法を制御する表示制御ステップと、を処理することを特徴とする。
【００１６】
請求項１０に記載の発明においては、画像情報を表示する表示領域を備えた表示手段と、複数の前記画像情報を切替えながら前記表示手段へ表示する表示端末装置を実行させる表示制御プログラムにおいて、前記表示手段に前記画像情報を表示した際の利用者の反応情報を取得する反応情報取得ステップと、前記反応情報取得ステップにより取得した前記反応情報を分析し、前記利用者の反応の種類の情報である反応種類情報を特定する反応種類情報特定ステップと、前記反応種類情報特定ステップにより特定された前記反応種類情報と、前記反応情報を取得した際に前記表示手段に表示されていた前記画像情報とを対応付けして記憶する反応種類情報記憶ステップと、複数の前記画像情報を前記表示手段へ表示するための条件の情報である表示条件情報を取得する表示条件情報取得ステップと、前記表示条件情報取得ステップにより取得した前記表示条件情報と、前記反応種類情報記憶ステップにて記憶されている前記反応種類情報に基づいて、複数の前記画像情報の表示方法を制御する表示制御ステップと、を前記表示端末装置で実行させることを特徴とする。
【発明の効果】
【００１７】
請求項１に記載の表示端末装置は、画像情報を表示する表示領域を備えた表示手段と、複数の画像情報を切替えながら表示手段へ表示する表示端末装置において、表示手段に画像情報を表示した際の利用者の反応情報を取得する。そして取得した反応情報を分析し、利用者の反応の種類の情報である反応種類情報を特定する。また、特定された反応種類情報と、反応情報を取得した際に表示手段に表示されていた画像情報とを対応付けして記憶する。そして、複数の画像情報を表示手段へ表示するための条件の情報である表示条件情報を取得する。取得した表示条件情報と、記憶されている反応種類情報に基づいて、複数の前記画像情報の表示方法を制御する。よって、利用者は、画像情報に対応付けられている反応種類情報に基づいて、複数の画像の中から画像を選択して表示する制御を実行することができる。したがって、利用者は反応種類に基づいて選択された画像を閲覧でき、嗜好性の高い画像観賞をすることができる。
【００１８】
請求項２に記載の表示端末装置では、請求項１に記載の発明の効果に加え、取得した表示条件情報に基づいて、異なる種類の反応種類情報に対応付けられている画像情報が所定割合で含まれるように、複数の画像情報を選択して所定順序で表示手段へ表示する。よって、利用者は、異なる種類の反応種類情報が対応付けられている画像情報が含まれるよう複数の画像の中から画像を選択して、所定順序で表示する制御を実行することができる。したがって、利用者は異なる種類の反応が対応付けられている画像を閲覧でき、より飽き難く、嗜好性の高い画像観賞をすることができる。
【００１９】
請求項３に記載の表示端末装置では、請求項１乃至２のいずれかに記載の発明の効果に加え、利用者によって表示端末装置を操作されることにより、画像情報を表示手段へ表示する枚数の情報か、または複数の画像情報を一定時間毎に切り替えながら表示した時の合計時間である合計表示時間の情報を表示条件情報として取得する。よって、利用者は、表示端末装置で表示する画像の枚数や、表示再生時間を入力することで、所望の表示条件で画像観賞をすることができる。
【００２０】
請求項４に記載の表示端末装置では、請求項１乃至２のいずれかに記載の発明の効果に加え、表示手段へ表示する際に画像情報に反応種類情報が対応付けられているかどうかを判断し、反応種類情報が対応付けられていないと判断した場合は新たに反応情報を取得し、対応付けられていると判断した場合は、所定条件に基づいて反応種類情報を取得する。よって、利用者は、反応種類情報が対応付けられていない画像情報を表示する場合、利用者の操作を要することなく、反応種類情報を取得し画像情報に対応つけて記憶することができる。また、反応種類情報が対応付けられている場合でも、利用者は、条件によっては反応種類情報を更新することもできる。
【００２１】
請求項５に記載の表示端末装置では、請求項１乃至４のいずれかに記載の発明の効果に加え、表示手段に表示されている画像情報を見ている利用者の顔の撮像情報を取得する。そして、取得した撮像情報から、顔の特徴部分を検出して、特徴部分の形状を分析することで反応種類情報を特定する。よって、利用者が表示装置に表示されている画像を見ている時の顔の形状から反応種類を特定するので、利用者の反応を顔の表情から的確に分析して反応種類を特定することができる。
【００２２】
請求項６に記載の表示端末装置では、請求項５に記載の発明の効果に加え、表示端末装置は、利用者を識別するための情報である識別情報を記憶する。また、取得した撮像情報から検出した利用者の特徴部分と、記憶されている識別情報とを比較し、利用者を識別する。そして、識別された利用者の情報と、利用者が反応した反応種類情報を対応付けして記憶し、取得した表示条件を入力操作した際の利用者を識別して、識別された利用者の情報に対応した反応種類情報に対応付けられている画像情報の中から、複数の画像情報を選択して表示手段へ表示する。よって、識別された利用者毎に反応種類情報を対応付けて記憶することで、利用者は、自身の反応種類情報に対応付けられている画像が選択表示されるので、利用者に適した嗜好性の高い画像観賞をすることができる。
【００２３】
請求項７に記載の表示端末装置では、請求項６に記載の発明の効果に加え、取得した撮像情報に基づいて、複数の利用者が存在すると判断した場合、識別された複数の利用者の情報に各々対応した反応種類情報が全て対応付けられている画像情報を選択して、表示手段へ表示する。よって、観賞している複数の利用者は、複数の利用者各々の反応種類情報が対応付けられている画像が選択されて表示されるので、複数の利用者全てに適した嗜好性の高い画像観賞をすることができる。
【００２４】
請求項８に記載の表示端末装置では、請求項６に記載の発明の効果に加え、特定された反応種類情報を数値で示す情報として記憶し、取得した撮像情報に基づいて、複数の利用者が存在すると判断した場合、複数の利用者に対応する反応種類情報の数値を平均した平均値に基づいて、複数の画像情報を選択して表示手段へ表示する。よって、観賞している複数の利用者は、複数の利用者各々の反応種類情報が対応付けられている画像が選択されて表示されるので、複数の利用者全てに対して均一に嗜好性の高い画像観賞をすることができる。
【００２５】
請求項９に記載の発明は、画像情報を表示する表示領域を備えた表示手段と、複数の画像情報を切替えながら表示手段へ表示する表示端末装置にて処理する表示制御方法において、表示手段に画像情報を表示した際の利用者の反応情報を取得する。そして取得した反応情報を分析し、利用者の反応の種類の情報である反応種類情報を特定する。また、特定された反応種類情報と、反応情報を取得した際に表示手段に表示されていた画像情報とを対応付けして記憶する。そして、複数の画像情報を表示手段へ表示するための条件の情報である表示条件情報を取得する。取得した表示条件情報と、記憶されている反応種類情報に基づいて、複数の前記画像情報の表示方法を制御する。よって、利用者は、画像情報に対応付けられている反応種類情報に基づいて、複数の画像の中から画像を選択して表示する制御を実行することができる。したがって、利用者は反応種類に基づいて選択された画像を閲覧でき、嗜好性の高い画像観賞をすることができる。
【００２６】
請求項１０に記載の発明は、画像情報を表示する表示領域を備えた表示手段と、複数の画像情報を切替えながら表示手段へ表示する表示端末装置を実行させる表示制御プログラムにおいて、表示手段に画像情報を表示した際の利用者の反応情報を取得する。そして取得した反応情報を分析し、利用者の反応の種類の情報である反応種類情報を特定する。また、特定された反応種類情報と、反応情報を取得した際に表示手段に表示されていた画像情報とを対応付けして記憶する。そして、複数の画像情報を表示手段へ表示するための条件の情報である表示条件情報を取得する。取得した表示条件情報と、記憶されている反応種類情報に基づいて、複数の前記画像情報の表示方法を制御する。よって、利用者は、画像情報に対応付けられている反応種類情報に基づいて、複数の画像の中から画像を選択して表示する制御を実行することができる。したがって、利用者は反応種類に基づいて選択された画像を閲覧でき、嗜好性の高い画像観賞をすることができる。
【図面の簡単な説明】
【００２７】
【図１】表示端末装置１０の概略構成図である。
【図２】表示端末装置１０の電気的構成図である。
【図３】フラッシュＲＯＭ２４の説明図である。
【図４】画像情報入力処理のフローチャート図である。
【図５】反応種類情報付加処理のフローチャート図である。
【図６】表示手段１２の画面説明図
【図７】笑顔ランク判定の画面説明図
【図８】反応種類情報データベースの説明図である。
【図９】スライドショーデータベースの説明図である。
【図１０】画像情報再生処理のフローチャート図である。
【図１１】画像情報選択処理のフローチャート図である。
【図１２】再生曲線８０の説明図である。
【図１３】再生曲線８０に合わせた画像情報の再生順序についての説明図である。
【発明を実施するための形態】
【００２８】
以下、本発明を具体化した表示端末装置の実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００２９】
まず、図１〜図２を参照して、本実施形態の表示端末装置１０の外観図、及び電気的構成について説明する。
【００３０】
図１を参照して、本実施形態の表示端末装置１０について説明する。図１に示すように、表示端末装置１０は、矩形状の筐体１３に画像情報を表示する為の表示手段１２が備えられている。また、表示手段１２には、利用者の指や、図示しないタッチペン等によりタッチ入力された位置情報を取得するタッチパネルが重ねて配置されている。さらに筐体１３の上部には撮像手段２８が備えられている。撮像手段２８は、汎用的なデジタルカメラ機器であり、表示手段１２に表示されている画像情報を観賞している利用者の顔を撮影できるように配置されている。
【００３１】
次に図２を参照して、表示端末装置１０の電気的構成について説明する。本実施形態の表示端末装置１０は、図２に示すように、ＣＰＵ２１、ＲＯＭ２２、ＲＡＭ２３、フラッシュＲＯＭ２４と、表示手段１２を構成する表示モニタ２６、タッチパネル２７と、さらに通信手段２５と撮像手段２８を備えており、これらはすべてバスで相互に接続されている。
【００３２】
ＣＰＵ２１は、表示端末装置１０全体の制御を司る。ＲＯＭ２２は、表示端末装置１０の基本的な動作に必要なプログラムやそのための設定値等を記憶している。ＣＰＵ２１は、ＲＯＭ２２に記憶されたプログラムに従って、表示端末装置１０の動作を制御する。ＲＡＭ２３は、各種データを一時的に記憶するための記憶装置である。また、フラッシュＲＯＭ２４は、不揮発性の半導体メモリであり、後述する各種記憶エリアを備えている。
【００３３】
表示手段１２は、利用者が表示端末装置１０の各種操作を行うための操作画面や、他機器から取得した画像データ等を表示する表示モニタ２６と、前述の表示モニタ２６に重ねて配置された汎用的なタッチパネル２７で構成されている。利用者が表示手段１２を参照しながらタッチ入力すると、タッチパネル２７はタッチ入力された位置情報を取得することができる。通信手段２５は、表示手段１２に表示する画像情報を、他の機器とインターネット３０を介して送受信するための汎用的な通信機器である。また、通信手段２５は、インターネット３０を介しての通信のみならず、例えば、汎用的な記憶媒体機器であるＳＤメモリーカードや、ＵＳＢメモリ機器等と接続して、画像情報の送受信を行うこともできる機器である。撮像手段２８は、汎用的なデジタルカメラ機器であり、表示手段１２を観賞している利用者の顔を撮像し、撮像画像情報を生成する機器である。撮像した撮像画像情報は、詳細な説明は後述するが、利用者の反応の種類を顔の表情から分析する為の情報として、また利用者を識別するための情報として用いられる。
【００３４】
次に図３~４を参照して、フラッシュＲＯＭ２４の構成について説明する。フラッシュＲＯＭ２４は、画像情報記憶エリア２４１、反応種類情報記憶エリア２４２、表示情報記憶エリア２４３、識別情報記憶エリア２４４等を含む各種記憶エリアで構成されている。画像情報記憶エリアには、他機器から取得した写真などの画像情報が記憶されている。画像情報とは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）、ＰＮＧ（Ｐｏｒｔａｂｌｅ  Ｎｅｔｗｏｒｋ  Ｇｒａｐｈｉｃｓ）、ＧＩＦ（Ｇｒａｐｈｉｃｓ  Ｉｎｔｅｒｃｈａｎｇｅ  Ｆｏｒｍａｔ）等のファイル形式で記憶されたデータを示す。反応種類情報記憶エリア２４２には、詳細な説明は後述するが、反応種類情報データベース２４２１が記憶されている。また、表示情報記憶エリア２４３には、表示端末装置１０に対する各種操作を利用者の操作により受け付けるため、表示手段１２へ表示する各種アイコン画像等の表示情報が記憶されている。識別情報記憶エリア２４４には、表示端末装置１０の表示手段１２に表示されている画像情報を観賞している利用者を識別するための情報が、識別情報として記憶されている。
【００３５】
以下に、図４を参照して、表示端末装置１０において実行される画像入力処理について説明する。図４に示す画像入力処理は、ＲＯＭ２２に記憶されたプログラムに従って、ＣＰＵ２１が実行する処理である。
【００３６】
図４に示す画像情報入力処理は、表示端末装置１０の電源がＯＮにされると開始される。まず初めに、ＣＰＵ２１は、画像情報入力の指示が有ったかどうかを判断する（Ｓ１００）。具体的には、利用者が表示端末装置１０の通信手段２５を介して、外部の記憶媒体機器と接続する操作をしかたどうかで判断するようにしても良い。または、インターネット３０を介して外部に接続されている他の装置から画像情報を取得する操作を行うために、前記操作を指示するためのアイコンを表示手段１２に表示させ、利用者が前記アイコンを入力操作したかどうかで判断するようにしても良い。そして、ステップＳ１００の処理で、ＣＰＵ２１が、画像情報入力指示が無いと判断した場合（Ｓ１００：ＮＯ）、再度ステップＳ１００の処理へ戻り、繰り返し処理を実行する。
【００３７】
また、ステップＳ１００の処理で、ＣＰＵ２１は、画像情報入力指示が有ったと判断した場合（Ｓ１００：ＹＥＳ）、画像情報を通信手段２５を介して取得し、画像情報記憶エリア２４１へ記憶する処理を実行する（Ｓ１０１）。そして、ＣＰＵ２１は、ステップＳ１０１の処理で取得して記憶した画像情報を表示手段１２へ一覧表示する処理を実行する（Ｓ１０２）。具体的には、図６に示す様に、表示手段１２へステップＳ１０１の処理で取得して記憶した複数の画像情報を、利用者が一覧で視認できるように、画像情報を表示するサイズを縮小して複数枚を同時に表示する。図６には、縮小された画像情報１５が９枚同時に一覧表示している状態を示している。（ここでの画像情報１５は、あくまで説明便宜上のため画像情報１つに付加した符号であり、図示の９枚の画像情報は各々異なる画像情報である。）また、表示手段１２に一度で同時に表示できない枚数の画像情報を一覧表示にする場合は、例えば複数の画面ページに分割して、利用者が表示端末装置１０を操作して画面ページをめくる操作を行うことで視認できるようにしても良い。
【００３８】
ステップＳ１０２の処理の後、ＣＰＵ２１は、完了操作があるかどうかを判断する（Ｓ１０３）。ステップＳ１０３の処理では、具体的には図６に示す様に、表示手段１２に完了の操作指示を受け付けるための完了アイコン１４を表示させ、利用者からタッチ入力操作を、タッチパネル２７を介して取得したかどうかで判断する。ステップＳ１０３の処理で、ＣＰＵ２１は、完了操作が有ったと判断した場合（Ｓ１０３：ＹＥＳ）、つまり利用者が完了アイコン１４をタッチ入力操作したと判断した場合、ステップＳ１０２の処理で表示している一覧表示を中止し、本処理を終了する。
【００３９】
また、ステップＳ１０３の処理で、ＣＰＵ２１は、完了操作が無いと判断した場合（Ｓ１０３：ＮＯ）、次に選択操作があるかどうかを判断する（Ｓ１０４）。具体的には、ステップＳ１０２の処理で表示手段１２に一覧表示している複数の画像情報の中の１つを、利用者がタッチ入力して選択操作したかどうかを、ＣＰＵ２１がタッチパネル２７を介して判断する。ステップＳ１０４の処理で、ＣＰＵ２１は、選択操作が無いと判断した場合（Ｓ１０４：ＮＯ）、再度ステップＳ１０３の処理へ戻り繰り返し処理を実行する。
【００４０】
また、ステップＳ１０４の処理で、ＣＰＵ２１は、選択操作が有ったと判断した場合（Ｓ１０４：ＹＥＳ）、次に選択された画像情報を表示手段１２へ拡大表示する（Ｓ１０５）。ステップＳ１０５の処理では、選択操作された１つの画像情報を、表示手段１２の表示領域の全体に所定時間表示させる。そして、ステップＳ１０５の処理の後、ＣＰＵ２１は、反応種類情報付加処理を実行する（Ｓ１０６）。
【００４１】
ここで、図５を参照しながら、ステップＳ１０６で処理する反応種類情報付加処理について詳細に説明をする。まず、ＣＰＵ２１は、図４の画像情報入力処理のステップＳ１０５で表示された画像情報を見ている利用者を、撮像手段２８を駆動させて撮像する処理を実行する（Ｓ２００）。撮像手段２８は、表示端末装置１０を観賞している利用者の顔を撮像できるように配置されているので、ステップＳ２００の処理では、利用者の顔の撮像画像情報を取得することができる。そして、ＣＰＵ２１は、ステップＳ２００で取得した利用者の顔の撮像画像情報に対して、顔検出処理を実行する（Ｓ２０１）。ステップＳ２０１の処理で実行する顔検出処理は、従来から幾つかの手法が開示されているので詳細な説明は省略するが、例えば一例を挙げると、画像情報の色情報、輝度情報の変化部分を輪郭線として抽出し、抽出した輪郭線の形状から人の顔の特徴部分である目、鼻、口等に相当する形状が含まれているかどうかで、人の顔を検出する手法を用いればよい。
【００４２】
次に、ステップＳ２０１の処理の後、ＣＰＵ２１は、利用者の識別処理を実行する（Ｓ２０２）。ステップＳ２０２の処理では、具体的には、ステップＳ２０１の処理で検出した顔の特徴部分の形状と、識別情報記憶エリア２４４に記憶されている利用者を識別するための識別情報とを、例えば汎用的なパターンマッチング法等を用いて照合し、撮像された利用者が誰なのかを識別する処理を実行する。ここでの識別情報は、図示は省略するが、利用者情報として、利用者の名前等の属性情報や顔画像から抽出された特徴画像等を、予め表示端末装置１０へ登録して記憶されているものとする。
【００４３】
次に、ステップＳ２０２の処理の後、ＣＰＵ２１は、笑顔ランク判定処理を実行する（Ｓ２０３）。ステップＳ２０３の処理では、具体的には、ステップＳ２０１の処理で検出した利用者の顔の特徴部分の輪郭線の形状を、例えば特開２００９−３３４９１号公報で開示されている技術を用いて、利用者の顔の笑顔度を数値化して、予め複数段階に分けられたランクに対して、どのランクに分類されるかの笑顔ランク付け判定を実行する。
【００４４】
ここで、図７を参照しながらステップＳ２０３の処理の笑顔ランク判定処理について詳細に説明をする。上記の従来技術である特開２００９−３３４９１号公報の手法では、図７（ａ）に示す様に、人の顔の撮像画像情報に対して、両目の瞳部分の中心を結んだ線である線７１を生成し、線７１より上側に白目領域が多い程、より笑顔の状態であると判定する。よって、線７１より上側の白目の面積と、下側の白目の面積の相対的な比率を算出して、笑顔を数値化している。図７（ａ）に示す顔の表情では、線７１より上側の白目の面積の方が、下側の白目の面積より多いことが分かるので、笑顔の状態であると判断できる。また、図７（ｂ）の表情では、両目の瞳の中心を結んだ線７３より上側の白目の面積は、下側の白目の面積より少ないことが分かるので、笑顔ではない状態であると判断できる。
【００４５】
また、口の部分についても、同様な考え方で笑顔ランクを判定する。図７（ａ）に示す様に、口の両端を結んだ線７２より下側にある唇部の領域が多い程、より笑顔の状態であると判定する。よって、線７２より下側の唇部の面積と、上側の唇部の面積の相対的な比率を算出して、笑顔を数値化している。図７（ａ）に示す顔の表情では、線７２より下側の唇部の面積の方が、上側の唇部の面積より多いので、笑顔の状態であると判定する。また、図７（ｂ）の表情では、口の両端を結んだ線７４より下側の唇部の面積と、上側の唇部の面積が殆ど同じなので、笑顔の状態ではないと判断できる。
【００４６】
よって、上述した従来技術に基づいて、目の部分から笑顔を数値化した値と、口の部分から笑顔を数値化した値の和を用いることで、笑顔の状態を数値化する。そして笑顔の値の範囲で設定した複数のランクを笑顔ランクと予め設定しておき、判定した笑顔の値に対して笑顔ランク付けを行う。本実施形態では、例えば、笑顔ランクを１０段階でランク付けを行うものとして説明をする。
【００４７】
図５の説明に戻り、ステップＳ２０３の処理の笑顔ランク判定処理の後、次に、ＣＰＵ２１は、画像情報の再生回数を＋１加算する処理を実行する（Ｓ２０４）。ステップＳ２０４の処理では、具体的には、図８に示すような反応種類情報データベース２４２１の後述する再生回数の項目に１が加算処理される。
【００４８】
ここで、図８を参照しながら、反応種類情報データベース２４２１について説明をする。反応種類情報データベース２４２１には、画像ＩＤ、画像情報、反応種類情報、再生回数、利用者識別情報の項目が、対応付けられて記憶されている。画像ＩＤの項目には、画像を管理するため識別番号が数値で採番されて記憶されている。画像情報の項目には、画像情報のファイル名が記憶されている。反応種類情報の項目には、画像情報を観賞している時の利用者の反応種類の情報である笑顔ランクが数値で記憶されている。再生回数の項目には、画像情報を表示手段１２へ表示した回数が記憶されている。利用者識別情報の項目には、反応種類情報を判定した時の利用者識別情報が記憶されている。例えば、画像ＩＤ００１には、画像情報Ｇ０１に対して、利用者ＡＡが反応種類情報９と対応付けられ、利用者ＢＢが反応種類情報３と対応付けて記憶されている。つまり、画像ＩＤ００１には、２人の利用者の反応種類情報が対応付けられていることを示している。また、画像ＩＤ００１の画像情報Ｇ０１は、今まで利用者ＡＡに対して３回再生表示したと記憶され、利用者ＢＢに対しても３回再生表示したことが、再生回数の情報から判断できる。
【００４９】
そして、図５に示すステップＳ２０４の処理では、反応種類情報データベース２４２１を参照し、図４のステップＳ１０４の処理で選択操作された画像情報を特定し、さらにステップ２０２の処理で識別した利用者に対応する再生回数の項目の数値に、＋１を加算する処理を実行する。
【００５０】
続いて、ＣＰＵ２１は、ステップＳ２０４の処理で処理した再生回数が１かどうかを判断する（Ｓ２０５）。ステップＳ２０５の処理で、ＣＰＵ２１は、再生回数が１でないと判断した場合（Ｓ２０５：ＮＯ）、本処理を終了する。また、ステップＳ２０５の処理で、ＣＰＵ２１は、再生回数が１であると判断した場合（Ｓ２０５：ＹＥＳ）、笑顔ランク付与処理を実行し（Ｓ２０６）、本処理を終了する。ここでのステップＳ２０６の処理では、具体的には、ステップＳ２０５の処理で、再生回数が１であると判定されたので、つまり図４のステップＳ１０４の処理で選択された画像情報に対して、ステップＳ２０２の処理で識別された利用者が初めて観賞する場合であると判断できるので、ステップＳ２０３の処理で判定した笑顔ランクを、利用者識別情報と対応付けて反応種類情報データベース２４２１に数値で記憶する処理を実行し、本処理である反応種類情報付加処理を終了する。
【００５１】
図４の説明に戻り、ＣＰＵ２１は、ステップＳ１０６の処理である反応種類情報付加処理の後、再度ステップＳ１０３の処理へ戻り、以降の処理を繰り返し実行する。そして、ステップＳ１０３の処理で、ＣＰＵ２１は、完了操作があると判断した場合（Ｓ１０３：ＹＥＳ）、本処理を終了する。具体的には図６に示す様に、表示手段１２に完了の操作指示を受け付けるための完了アイコンを、利用者からタッチ入力操作を受付けたと判断した場合、完了操作があったと判断し、本処理を終了する。
【００５２】
本実施形態での図４に示す画像情報入力処理を実行することで、利用者は、表示端末装置１０に取り込んだ画像情報を表示手段１２へ初めて表示した時の利用者の反応種類情報を、画像情報と対応付けして反応種類情報データベース２４２１に記憶することができる。また、図８に示す様に、本実施形態では反応種類情報データベース２４２１に、画像ＩＤの００１〜０１４が記憶されたことを示している。
【００５３】
次に、図９〜１１を参照しながら、表示端末装置１０において実行される画像情報再生処理について説明する。図１０に示す画像情報再生処理は、ＲＯＭ２２に記憶されたプログラムに従って、ＣＰＵ２１が実行する処理である。
【００５４】
図１０に示す画像情報再生処理は、表示端末装置１０の電源がＯＮにされると開始される。まず初めに、ＣＰＵ２１は、再生開始指示があったかどうかを判断する（Ｓ３００）。ここでは、図示は省略するが、例えば表示手段１２にスライドショー機能の実行を開始させる為のアイコン等を表示させ、利用者によりタッチ入力操作をされたかどうかを、タッチパネル２７を介して判断するようにすれば良い。ステップＳ３００の処理で、ＣＰＵ２１は、再生開始指示が無いと判断した場合（Ｓ３００：ＮＯ）、繰り返しステップＳ３００の処理を実行する。
【００５５】
ステップＳ３００の処理で、ＣＰＵ２１は、再生開始指示があったと判断した場合（Ｓ３００：ＹＥＳ）、次に再生条件を取得する処理を実行する（Ｓ３０１）。具体的には、利用者が、スライドショー機能で再生して観賞したい画像情報の枚数や、スライドショーの合計再生時間、または次画像へ切り替えるまでの切替え時間等の条件を、タッチパネル２７にタッチ入力操作することで、再生条件として取得する。そして、次に、ＣＰＵ２１は、画像情報選択処理を実行する（Ｓ３０２）。
【００５６】
ここで、図１１を参照しながら、ステップＳ３０２の処理である画像情報選択処理について説明をする。まず初めに、ＣＰＵ２１は、再生枚数決定処理を実行する（Ｓ４００）。ステップＳ４００の処理では、具体的には、図１０のステップＳ３０１の処理で取得した再生条件に基づいて、スライドショーで再生する画像情報の枚数を決定する。例えば、ステップＳ３０２の処理で、利用者により画像情報の枚数の情報を入力された場合は、そのまま入力された枚数を再生枚数として決定する。また、ステップＳ３０１の処理で、利用者によりスライドショーでの合計再生時間と切替え時間の情報を入力された場合は、合計再生時間を切替え時間で除算した値の整数値を再生枚数として決定する。
【００５７】
そして、ステップＳ４００の処理の後、ＣＰＵ２１は、表示端末装置１０を操作している利用者の顔検出、認識処理を実行する（Ｓ４０１）。ステップＳ４０１の処理は、図５のステップＳ２００〜Ｓ２０２と同様の処理なので詳細な説明は省略するが、表示端末装置１０を操作している利用者を識別する処理である。また、ステップＳ４０１の処理で、複数の利用者の顔を検出した場合も、検出した複数の利用者各々に対して同様に識別する処理を実行する。
【００５８】
続いて、ＣＰＵ２１は、反応種類情報データベース２４２１を参照し、ステップＳ４０１の処理で識別した利用者に対応する画像情報である対象の画像情報があるかどうかを判断する（Ｓ４０３）。例えば、本実施形態ではステップＳ４０１の処理で、利用者がＡＡであると識別されたとすると、反応種類情報データベース２４２１を参照して、利用者識別情報の項目にＡＡと記憶されている画像ＩＤがあるかどうかを判断する。ステップＳ４０３の処理で、ＣＰＵ２１は、対象の画像情報が有ると判断した場合（Ｓ４０３：ＹＥＳ）、次に再生枚数以上かどうかを判断する（Ｓ４０４）。具体的には、ステップＳ４０３の処理で、利用者ＡＡに対応した画像ＩＤが反応種類情報データベース２４２１から抽出され、抽出された個数がステップＳ４００の処理で決定した再生枚数以上かどうかを、ステップＳ４０４の処理で判断している。例えば、ステップＳ４０１の処理で認識した利用者がＡＡの場合、反応種類情報データベース２４２１を参照し、利用者ＡＡの反応種類情報が対応付けられている画像情報は、画像ＩＤ００１〜０１４の１４個が抽出される。また、ステップＳ４０１の処理で、ＣＰＵ２１は、複数の利用者を認識した場合は、ステップＳ４０３の処理では、認識した複数の利用者全ての反応種類情報が対応付けられている画像情報があるかどうかを判断するものとする。例えば、ステップＳ４０１の処理で、利用者のＡＡとＢＢが認識された場合、反応種類情報データベース２４２１を参照し、利用者ＡＡとＢＢの反応種類情報が対応付けられている画像情報は、画像ＩＤ００１、００３、００６、００９、０１１の５個が抽出される。
【００５９】
そして、ステップＳ４０４の処理で、ＣＰＵ２１は、再生枚数以上あると判断した場合（Ｓ４０４：ＹＥＳ）、再生枚数分の画像情報を選択する処理を実行する（Ｓ４０５）。例えば、ステップＳ４００の処理で、再生枚数が１４枚と決定したとすると、ステップＳ４０３の処理にて、反応種類情報データベース２４２１の中の利用者識別情報ＡＡと対応付けて記憶されている画像ＩＤが１４個抽出されているので、そのまま１４個の画像ＩＤが選択されることになる。また、ステップＳ４０５の処理では、図９に示す様な、ステップＳ４０４の処理で抽出された画像ＩＤを、反応種類情報である笑顔ランク毎に分類してスライドショーデータベース２４２２として生成記憶する。図９に示すスライドショーデータベース２４２２は、反応種類情報と、画像ＩＤの項目が対応付けて記憶されている。反応種類情報の項目は、反応種類情報データベース２４２１の反応種類情報が笑顔ランクの数値で記憶されており、画像ＩＤの項目には、ステップＳ４０５の処理で選択された画像ＩＤの中で、それぞれの反応種類情報の数値に対応する画像ＩＤが対応付けて記憶されている。例えば、反応種類情報の数値が１０の欄には、画像ＩＤが００２、００６、０１０と対応付けられており、また反応種類情報の数値が９の欄には、画像ＩＤが００１、０１１と対応付けられていることが分かる。
【００６０】
また、ステップＳ４００の処理で、再生枚数が例えば７枚と決定したとすると、ステップＳ４０５の処理では、利用者識別情報がＡＡと対応付けて記憶されている画像ＩＤの１４個の中から７個を選択することになる。その場合は、予め設定されている条件で選択するようになっているものとする。例えば、反応種類情報データベース２４２１を参照して、再生回数の少ない順から選択するようにしても良いし、反応種類情報の数値が高い方から選択するようにしても良いが、これに限るものではない。
【００６１】
次に、ステップＳ４０５の処理の後、ＣＰＵ２１は、通常再生順序生成処理を実行する（Ｓ４０６）。ここでのステップＳ４０６の処理では、具体的には、ステップＳ４０５の処理で選択された画像ＩＤに基づいて生成されたスライドショーデータベース２４２２を参照し、図１２に示す様な再生曲線８０に沿うように再生順序を決定する処理を実行する。
【００６２】
ここで、図１２に示す再生曲線８０について説明をする。図１２に示す再生曲線８０は、予め表示端末装置１０の反応種類情報記憶エリア２４２に記憶されている情報であり、横軸をスライドショーの再生時間の時間軸とし、縦軸を反応種類情報である笑顔ランクとして生成されている。縦軸が上方へ行くほど笑顔ランクが高くなるように設定されている。本実施形態での再生曲線８０は、図１２に示す様に、スライドショーの開始部分と中間部分と終盤部分に笑顔ランクが高い数値が対応付けられている画像情報が再生されるよう設定されており、その他の部分は、徐々に笑顔ランクが下降、または上昇するように設定されている。したがって本実施形態での再生曲線８０は、スライドショーを観賞する際に、嗜好性の高いスライドショーを構成できるように、利用者が高い反応を示した画像情報を所定間隔で所定割合の枚数含ませるように設定されている。
【００６３】
ステップＳ４０６の処理では、ステップＳ４０５の処理で選択された画像情報を、反応種類情報である笑顔ランクに基づいて、図１２に示す再生曲線８０に沿うように再生順序を決定する。よって、本実施形態では、図１３に示す様な再生曲線８０に沿うよう再生順が決定される。また、図１３の中に示すＴ１は、一つの画像を表示手段１２へ表示する再生時間を示している。よって、図１３に示す様に、再生曲線８０と、各再生時間Ｔ１の再生開始時点との交点から、選ばれるべき笑顔ランクが決定されるようになっている。図１３では具体的に再生順序は、スライドショーが開始されてから順に画像ＩＤ００２、００６、００３、００７、０１２、００４、００８、００１、０１４、００９、００５、０１３、０１１、０１０となるよう決定されている。
【００６４】
また、ステップＳ４０５の処理で選択された複数の画像情報に対する笑顔ランクの種類が少ない場合、ステップＳ４０６の処理では、笑顔ランクが最も高い値と最も低い値が、再生曲線８０の最上部と最下部の位置になるよう、選択された画像情報の再生順序を決定するようにすれば良い。また、ステップＳ４０５の処理で選択された複数の画像情報に対する笑顔ランクが全て同じ値になった場合は、ステップＳ４０６の処理では、再生曲線８０に沿うような再生順序に決定できないので、任意の再生順序、例えば画像ＩＤの番号順等になるように再生順序を決定すれば良い。
【００６５】
ステップＳ４０１の処理で、複数の利用者を検出、認識した場合は、ステップＳ４０６の処理では、ＣＰＵ２１は、複数の利用者に対応付けられている各々の反応種類情報の値を平均した値を、画像情報に対する反応種類情報の代表値として用いるようにする。
【００６６】
また、ステップＳ４０４の処理で、ＣＰＵ２１が、ステップＳ４０３で抽出した対象となる画像情報が、ステップＳ４００の処理で決定した再生枚数以上ないと判断した場合（Ｓ４０７：ＮＯ）、混在画像情報選択処理を実行する（Ｓ４０７）。ステップＳ４０７の処理の混在画像情報選択処理では、具体的には、ステップＳ４０３の処理で抽出された画像情報が、ステップＳ４００の処理で決定された再生枚数より少ないと判断された場合、不足分の枚数を、例えばステップＳ４０１の処理で識別した利用者以外の利用者識別情報が対応付けられている画像情報から選択するようになっているものとする。それでもまだ、再生枚数より少ない場合は、反応種類情報が対応付けられていない画像情報から選択するようになっている。そして、ステップＳ４０７の処理の後、ＣＰＵ２１は混在再生順序決定処理を実行する（Ｓ４０８）。ステップＳ４０８の処理では、ステップＳ４０６と同様の処理が実行されるので詳細な説明は省略するが、ステップＳ４０７の処理で選択された画像情報の反応種類情報である笑顔ランクに基づいて、図１２に示す再生曲線に沿うように再生順序を決定する。
【００６７】
また、ステップＳ４０３の処理で、ＣＰＵ２１は、対象画像が無いと判断した場合（Ｓ４０３：ＮＯ）、ランダム画像情報選択処理を実行する（Ｓ４０９）。ステップＳ４０９の処理では、具体的には、ステップＳ４０１の処理で識別された利用者識別情報に対応した画像情報が無いと判断しているので（Ｓ４０３：ＮＯ）、識別された利用者以外の利用者識別情報が対応付けられている画像情報から選択するようになっている。そして、ＣＰＵ２１は、ランダム再生順序決定処理を実行する（Ｓ４１０）。Ｓ４１０の処理では、ステップＳ４０６、Ｓ４０８と同様に、ステップＳ４０９の処理で選択された画像情報の反応種類情報である笑顔ランクに基づいて、図１２に示す再生曲線に沿うように再生順序を決定する。上述したステップＳ４０６か、ステップＳ４０８か、ステップＳ４１０の処理の何れかが実行された後、本処理である画像情報選択処理を終了する。
【００６８】
図１０の画像情報再生処理に戻り、ステップＳ３０２の処理の後、ＣＰＵ２１は、再生処理を実行する（Ｓ３０３）。具体的には、ステップＳ３０２の処理での画像情報選択処理で選択された画像情報を、決定された再生順序で表示手段１２へ順番に表示する処理を実行する。そして、最初に再生する画像情報に対して、ＣＰＵ２１は、既に再生した画像情報かどうかを判断する（Ｓ３０４）。具体的には、反応種類情報データベース２４２１を参照し、ステップＳ３０３の処理で再生している画像情報に対応する再生回数の項目が、０かどうかで判断する。ステップＳ３０４の処理で、既に再生した画像情報であると判断した場合（Ｓ３０４：ＹＥＳ）、つまり、反応種類情報データベース２４２１の再生回数の項目が０以外の数値である場合、再生している画像情報が、スライドショーで再生する最後の画像情報かどうかを判断する（Ｓ３０６）。ステップＳ３０６の処理では、具体的には、ステップＳ３０３の処理で表示している画像情報が、ステップＳ３０２の処理で決定された再生順序の最後の画像情報かどうかで判断する。そして、ＣＰＵ２１は、最後の画像情報では無いと判断した場合（Ｓ３０６：ＮＯ）、再度ステップＳ３０３の処理へ戻り、以降の処理を繰り返し実行する。また、ステップＳ３０６の処理で、ＣＰＵ２１は、最後の画像情報であると判断した場合（Ｓ３０６：ＹＥＳ）、本処理を終了する。また、ステップＳ３０４の処理で、ＣＰＵ２１は、既に再生した画像情報では無いと判断した場合（Ｓ３０４：ＮＯ）、反応種類情報付加処理を実行する（Ｓ３０５）。ステップＳ３０５の処理は、図５を参照しながら上述で既に説明した処理と同様である。ステップＳ３０５の処理の後は、ＣＰＵ２１は、上述したステップＳ３０６の処理へ移行する。
【００６９】
よって、上述で説明した画像情報再生処理を実行することで、利用者は、画像情報を表示する条件情報を表示端末装置へ入力することで、画像情報に対応付けられている反応種類情報に基づいて、複数の画像の中から画像を選択して表示する制御を実行することができる。したがって、利用者は反応種類に基づいて選択された画像を閲覧でき、嗜好性の高い画像観賞をすることができる。
【００７０】
なお、上述で説明した本実施形態に示される構成や処理は例示であり、各種の変形が可能なことはいうまでもない。例えば、本実施形態では、図１１に示す画像情報選択処理で用いた再生曲線８０は、予め表示端末装置１０に設定記憶されているようにしたが、これに限るものではない。例えば、利用者が表示端末装置１０を操作することにより、自由に再生曲線８０を編集できるようにして、利用者毎に再生曲線８０を作成して、各利用者の好みのスライドショーを作成できるようにしても良い。
【００７１】
また、図１１の画像情報選択処理のステップＳ４０６、Ｓ４０８、Ｓ４１０の処理で、図１２に示す様な再生曲線８０に沿うように反応種類情報に基づいて再生順序を決定したが、これに限るものではない。例えば、ステップＳ４０５、Ｓ４０７、Ｓ４０９の処理で選択された画像情報を、反応種類情報の数値が降順、または昇順になるよう再生順序を決定するようにしても良い。
【符号の説明】
【００７２】
１０    表示端末装置
１２    表示手段
１３    筐体
１４    完了アイコン
１５    画像情報の一例
２４    フラッシュＲＯＭの構成説明図
２８    撮像手段
７１    人の顔の瞳の中心を結んだ線
７２    人の顔の口の両端を結んだ線
７３    人の顔の瞳の中心を結んだ線
７４    人の顔の口の両端を結んだ線
８０    再生曲線
【図１】
2011216985.tif 000003
【図２】
2011216985.tif 000004
【図３】
2011216985.tif 000005
【図４】
2011216985.tif 000006
【図５】
2011216985.tif 000007
【図６】
2011216985.tif 000008
【図７】
2011216985.tif 000009
【図８】
2011216985.tif 000010
【図９】
2011216985.tif 000011
【図１０】
2011216985.tif 000012
【図１１】
2011216985.tif 000013
【図１２】
2011216985.tif 000014
【図１３】
2011216985.tif 000015